(57)【要約】      （修正有）【課題】リアリティーのある炎の動的なイメージを小スケールの模型においても実現可能な炎模擬装置を提供する。【解決手段】１は携帯電話などに使用される小型の円盤型振動モーター、２は薄い紙、３はクッション材、４と５はオレンジ色の発光ダイオード、６はケースである。振動モーター１に電圧を加えると振動し、その振動が振動媒体である薄い紙２に伝わりこれが振動する。振動モーターの振動数は数千ｒｐｍ以上と高いので、振動モーターの作動中は薄紙は肉眼でははっきりとその形を確認することができず、まるでぼんやりとした半透明の固まりが不規則に揺らいでいるように見える。紙には細長くスリットを入れてあり、細長い紙の長さを変えてあるので紙の振動は一定ではない。さらに、細長い紙の先端は鋭角にカットしてあるので、これが振動モーターにより振動を与えられるとあたかも本物の炎の動きのように見える。【選択図】図１
0003145734.tif 000002
【実用新案登録請求の範囲】
【請求項１】
振動体と、振動体に立接する媒体と、媒体近傍に配置された光源を備えたことを特徴とする演出装置。
【請求項２】
振動体と、振動体に立接する炎媒体と、炎媒体近傍に配置された赤色の光源を備え、炎が動いている状態を擬似的に表現可能にしたことを特徴とする炎の演出装置。
【請求項３】
振動体と、振動体に立接する炎媒体と、炎媒体近傍に配置された青色の光源を備え、バーナーの炎が動いている状態を擬似的に表現可能にしたことを特徴とする炎の演出装置。
【請求項４】
振動体と、振動体に立接する薄く着色した振動媒体と、媒体近傍に配置された光源を備え、煙が動いている状態を擬似的に表現可能にしたことを特徴とする演出装置。
【請求項５】
請求項１、請求項２、請求項３および請求項４に記載の演出装置において赤外線の光源を備え、疑似炎および煙が発熱している様子を体感できることを特徴とする演出装置。
【請求項６】
振動体と、振動体に立接する青色で薄く着色した振動媒体と、媒体近傍に配置された青色の光源を備え、水が動いている状態を擬似的に表現可能にしたことを特徴とする演出装置。
【請求項７】
振動体と、振動体に立接する紫外線により蛍光を発する振動媒体と、紫外線を発する光源を備え蛍光のゆらめいている状態を擬似的に表現可能にしたことを特徴とする演出装置。
【請求項８】
振動体と、振動体に立接する透明又は半透明の振動媒体を備え、空気中において水中での水の流れの状態を擬似的に表現可能にしたことを特徴とする演出装置。
【考案の詳細な説明】
【技術分野】
【０００１】  この考案は、模型に適用して好適な炎模擬装置に関する。
【背景技術】
【０００２】  従来は動いている炎を表現する方法としては、一辺を固定した薄い布を下からあてた扇風機の風などでたなびかせ、そこに赤いランプの光をあてて表現するのが一般的であった。これらは動く炎を表現する方法としてポピュラーなものであり、レストランの店先などでよく使われている。または噴出させた液体やガスを使用して炎を演出したりしていた。【０００３】
【特許文献１】特開平６−２７４１１６
【特許文献２】特開平８−２５２３８０
【実用新案文献１】
実開平６−２３０６２
【考案の開示】
【考案が解決しようとする課題】
【０００４】  布と風を使用した方法は原理的に装置が大きくなるという欠陥があった。なぜなら、薄い布が重力により下に倒れようとするのを下側からの風によって持ち上げることにより、ゆらゆらと不規則に布をたなびかせるため、最低でも布の長さが１０ｃｍ程度以上無ければならならず、それより短いとどれだけ柔らかい布や紙を使っても  それ自身の重さで倒れ込むことなく、自立してしまうため下から風を送っても炎のような不規則な揺れは起こらない。また、風を送るためには電動ファン等が必要になるがこれも装置が大きくなる要因である。このような理由のため、炎の形に切った布や紙に下から風を送って不規則な揺れを作り光を当てるという方法は、店先のディスプレイ等には向いているが縮尺の小さな模型では、この方法は使えない。布をカーテンのようにたらし同じく風によってたなびかせて、赤い光を当てるだけでなく炎を映写したりするものもあるがやはり装置が大きくなり、またこれはたき火などの下から立ち上る炎を表現することができない。液体やガスを噴出させる方法もやはり装置が大がかりになり、また安全性、液体による模型へのダメージを考えるとこれらの方法も小スケールの模型には使用できない。炎の形をした電球を不規則に点滅させたり、電子ローソクと呼ばれる炎の形をした乳白色プラスチックの中にＬＥＤを仕込み電子的に不規則に明滅させるものもあるが、リアリティーに乏しい。この考案は、上述したような課題を解決したものであって、リアリティーのある炎の動的なイメージを小スケールの模型においても表現可能な炎模擬装置を提案するものである。
【課題を解決するための手段】
【０００５】  本考案は上記既存の方法の問題点を解決するためになされたものであり、炎のゆらめきを振動で再現している。
【考案の効果】
【０００６】  非常にリアリティーのある炎が小型の装置で表現できる。炎模擬装置本体は縦２センチ横２センチ程度にできるため小スケールの模型に使用できる。風を使わないため例えば小型のシャドウボックス（照明を仕込んだ密閉した箱の中に情景を作ったもの）においても土やパウダーを巻き上げることがないので使用できる。液体やガスを噴出させるものではないため模型用として安全でなおかつ模型を汚したり模型にダメージを与えたりすることなくリアルな炎を表現できる。
【実施例】
【０００７】  以下に本案の具体的実施例を図面に基づき説明する。図１ないし図２は本考案の一実施例である。１は携帯電話などに使用される小型の円盤型振動モーター、２は薄い紙、３はクッション材、４と５はオレンジ色の発光ダイオード、６はケースである。振動モーター１に電圧を加えると振動し、その振動が振動媒体である薄い紙２に伝わりこれが振動する。振動モーターの振動数は数千ｒｐｍ以上と高いので、振動モーターの作動中は薄紙は肉眼でははっきりとその形を確認することができず、まるでぼんやりとした半透明の固まりが不規則に揺らいでいるように見える。紙には細長くスリットを入れてあり、細長い紙の長さを変えてあるので紙の振動は一定ではない。さらに、細長い紙の先端は鋭角にカットしてあるので、これが振動モーターにより振動を与えられるとあたかも本物の炎の動きのように見える。また、スリットを入れることにより、向こう側が半分透けて見えるので、より実物の火炎に近いものとなる。オレンジ色の発光ダイオードに電流を流し発光させ、その光を振動している紙にあてることにより、あたかも本物の炎が揺らめいているような効果を得ることができる。クッション材はモーターを自由振動させるためのものである。【０００８】  考案のその他の実施例としては、振動モーター１は円盤型でなく筒状のものでも、またもっと大型の物でも良い。振動モーターでなくとも、振動を発生させるもの例えばボイスコイルに交流を流すなどしてもよい。２は紙でなくても、充分な柔らかさと腰の強さを持った物ならよい。例えば薄いプラスチックのシートや布、メッシュでもよい。４、５はオレンジ色だけでなく、使用目的により赤、黄、青またはそれらを組み合わせても良い。発光ダイオードではなく通常の電球や、レーザーポインターを使用しても良い。光源を近くに置かなくても、例えば光ファイバー、プリズム又は単数あるいは複数の鏡を使用して離れたところにある光源からの光を使用してもよい。【０００９】  ２に薄く着色する事によって炎だけでなく、煙（黒または灰色に着色）や水（緑または青に着色）の表現になる。また透明なプラスチックの薄いフィルムを使用すれば水中における水流や、空気の流れを表現できる。紫外線に反応し蛍光を発する布や薄紙を振動媒体に使用し、紫外線光源からの紫外線をあてればシャドウボックス内などで幻想的な光を表現する事もできる。【００１０】  ３のクッション材はスポンジに限らずその他の弾性体、例えばゴム、スプリング、振動を吸収する材料であれば良い。【００１１】  クッション材はケースの中にあっても外にあっても良い。
【図面の簡単な説明】
【００１２】
【図１】  本考案の一実施例の火炎演出装置の全体構成を示した説明図である
【図２】  同炎演出装置の断面図である。
【図３】  同炎演出装置の電気回路図である。
【図４】  同炎演出装置の応用例を示した図である。
【図５】  同炎演出装置の別の応用例を示した図である。
【符号の説明】
【００１３】１    振動モーター
２    振動媒体である薄い紙
３    クッション材
４、５  発光ダイオード
６    ケース
７、８  発光ダイオードの電源コード
９    振動モーターの電源コード
１０  薄い紙をモーターに取付けるための部品
【図１】
0003145734.tif 000003
【図２】
0003145734.tif 000004
【図３】
0003145734.tif 000005
【図４】
0003145734.tif 000006
【図５】
0003145734.tif 000007
【手続補正書】
【提出日】平成20年7月22日(2008.7.22)
【手続補正１】
【補正対象書類名】実用新案登録請求の範囲
【補正対象項目名】全文
【補正方法】変更
【補正の内容】
【実用新案登録請求の範囲】
【請求項１】
振動体と、振動体に立接する媒体と、媒体近傍に配置された光源を備えたことを特徴とする演出装置。
【請求項２】
振動体と、振動体に立接する炎媒体と、炎媒体近傍に配置された赤色の炎色の光源を備え、炎が動いている状態を擬似的に表現可能にしたことを特徴とする炎の演出装置。
【請求項３】
振動体と、振動体に立接する炎媒体と、炎媒体近傍に配置された青色の光源を備え、バーナーの炎が動いている状態を擬似的に表現可能にしたことを特徴とする炎の演出装置。
【請求項４】
振動体と、振動体に立接する薄く着色した振動媒体と、媒体近傍に配置された光源を備え、煙が動いている状態を擬似的に表現可能にしたことを特徴とする演出装置。
【請求項５】
請求項１〜４のいずれか１項に記載の演出装置において赤外線の光源を備え、擬似炎および煙が発熱している様子を体感できることを特徴とする演出装置。
【請求項６】
振動体と、振動体に立接する青色で薄く着色した振動媒体と、媒体近傍に配置された青色の光源を備え、水が動いている状態を擬似的に表現可能にしたことを特徴とする演出装置。
【請求項７】
振動体と、振動体に立接する紫外線により蛍光を発する振動媒体と、紫外線を発する光源を備え蛍光のゆらめいている状態を擬似的に表現可能にしたことを特徴とする演出装置。